(57)【要約】【課題】下側筐体内に浸入する液体によって画像形成ユニットに不具合が生じることを抑制できる複合機を提供する。【解決手段】第２サイドカバー７１の第１上端縁７１Ｕと、第２トップカバー７９の第１側端縁７９Ｒとは、対向位置Ｆ１で対向する。第２サイドカバー７１における画像形成ユニット３に面する内壁面７５には、樋部１００と第１案内壁１１０と第２案内壁１２０とが設けられる。樋部１００には、対向位置Ｆ１に対して下側にあり、かつ下向きに凹みながら第１上端縁７１Ｕに並行して延びる凹部１０９と、接続部Ｃ１の下側に位置して凹部１０９の底面１０９Ｄから下向きに貫設された開口部１０７とが形成される。第１、２案内壁１１０、１２０は、開口部１０７における第１上端縁７１Ｕが延びる方向の一端側及び他端側に隣接する位置から下向き、かつ互いに並行して延びながら、内壁面７５から画像形成ユニット３に向かって突出する。【選択図】図５
2016090641.tif 000002
【特許請求の範囲】
【請求項１】
下側筐体と、
前記下側筐体に対して上側に配置される上側筐体と、
前記下側筐体内に収容され、シートに画像を形成する画像形成ユニットと、
前記上側筐体内に収容され、原稿から画像を読み取る画像読取ユニットと、を備える複合機であって、
前記上側筐体は、前記画像読取ユニットの上面を覆う第１トップカバーと、
前記画像読取ユニットの第１側面を覆う第１サイドカバーと、を有し、
前記第１トップカバーは、第１部材と第２部材とを含んで構成され、
前記第１部材と前記第２部材とは、前記第１サイドカバーよりも上側で接続する接続部を有し、
前記下側筐体は、前記画像形成ユニットにおける前記第１側面と同じ側を向く第２側面を覆う第２サイドカバーと、
前記画像形成ユニットにおける前記第２側面とは反対側を向く第３側面を覆う第３サイドカバーと、
前記第２サイドカバーと前記第３サイドカバーとに挟まれる位置にあり、前記画像形成ユニットの上面を覆い、前記画像形成ユニットから排出されるシートを保持するシート保持部を有する第２トップカバーと、を有し、
前記第２サイドカバーにおける前記上側筐体側の１辺である第１上端縁と、前記第２トップカバーにおける前記第２サイドカバー側の１辺である第１側端縁とは対向位置で対向し、
前記第２サイドカバーにおける前記画像形成ユニットに面する内壁面には、樋部と第１案内壁と第２案内壁とが設けられ、
前記樋部には、前記対向位置に対して下側にあり、かつ下向きに凹みながら前記第１上端縁に並行して延びる凹部と、前記接続部の下側に位置して前記凹部の底面から下向きに貫設された開口部とが形成され、
前記第１案内壁は、前記開口部における前記第１上端縁が延びる方向の一端側に隣接する位置から下向きに延びながら、前記内壁面から前記画像形成ユニットに向かって突出し、
前記第２案内壁は、前記開口部における前記第１上端縁が延びる方向の他端側に隣接する位置から下向き、かつ前記第１案内壁と並行して延びながら、前記内壁面から前記画像形成ユニットに向かって突出していることを特徴とする複合機。
【請求項２】
前記樋部は、前記内壁面から前記第１上端縁と並行して延びながら、前記内壁面から前記画像形成ユニットに向かって突出する底壁と、
前記対向位置よりも前記画像形成ユニットに接近する位置で前記底壁から立ち上がる側壁とを有し、
前記凹部は、前記内壁面と前記底壁と前記側壁とに囲まれてなり、
前記開口部は、前記底壁を上下方向に貫通している請求項１記載の複合機。
【請求項３】
前記第１案内壁及び前記第２案内壁は、前記第２サイドカバーの下端縁の近傍まで延びている請求項１又は２記載の複合機。
【請求項４】
前記下側筐体の底部には、前記下側筐体内と外部とを連通する連通穴が設けられ、
前記第１案内壁及び前記第２案内壁は、前記連通穴の近傍まで延びている請求項３記載の複合機。
【請求項５】
前記第１案内壁及び前記第２案内壁は、前記第１上端縁が延びる方向に傾斜する傾斜部を含んでいる請求項１乃至４のいずれか１項記載の複合機。
【請求項６】
前記画像形成ユニットは、前記下側筐体内で前記内壁面に隣接する位置に配置される電気部品を有し、
前記第１案内壁及び前記第２案内壁は、前記電気部品から前記第１上端縁が延びる方向に離間している請求項１乃至５のいずれか１項記載の複合機。
【請求項７】
前記開口部の内周縁の一部は、前記内壁面に接している請求項１乃至６のいずれか１項記載の複合機。
【請求項８】
前記樋部は、前記第１上端縁の一端側から他端側まで延びている請求項１乃至７のいずれか１項記載の複合機。
【請求項９】
前記接続部は、前記第１サイドカバー側から前記画像読取ユニットに向けて延びている請求項１乃至８のいずれか１項記載の複合機。
【請求項１０】
前記上側筐体は、前記下側筐体に対して上方に離間する開放位置に変位可能に前記下側筐体に支持されている請求項１乃至９のいずれか１項記載の複合機。
【請求項１１】
前記上側筐体は、前記下側筐体に対してヒンジを介して連結され、前記ヒンジの回動軸心周りに回動可能に前記下側筐体に支持され、
前記上側筐体は、前記下側筐体に対して回動することにより、前記第１サイドカバーが前記第１上端縁に隣接する閉鎖位置と、前記第１サイドカバーが前記第１上端縁に対して上方に離間する開放位置とに変位可能であり、
前記上側筐体が前記閉鎖位置にあるときに、前記開口部が前記接続部の下側に位置している請求項１乃至９のいずれか１項記載の複合機。
【請求項１２】
前記第１部材は、前記上側筐体における前記第１上端縁が延びる方向の一端側に配置される操作パネルである請求項１乃至１１のいずれか１項記載の複合機。
【発明の詳細な説明】
【技術分野】
【０００１】
本発明は複合機に関する。
【背景技術】
【０００２】
特許文献１に従来の複合機の例が開示されている。この複合機は、下側筐体と上側筐体と画像形成ユニットと画像読取ユニットとを備えている。上側筐体は、下側筐体に対して上側に配置されている。画像形成ユニットは、下側筐体内に収容され、シートに画像を形成する。画像読取ユニットは、上側筐体内に収容され、原稿から画像を読み取る。
【０００３】
上側筐体は、特許文献１の図２等に図示された第１トップカバーと、特許文献１の図１に図示された第１サイドカバーとを有している。第１トップカバーは、画像読取ユニットの上面を覆っている。第１トップカバーは、第１部材としての操作パネルと、第２部材としての枠体とを含んで構成されている。第１サイドカバーは、画像読取ユニットの左側面を覆っている。
【０００４】
下側筐体は、特許文献１の図１に図示された第２サイドカバーを有している。第２サイドカバーは、画像形成ユニットの左側面を覆っている。
【０００５】
特許文献１の図４等に図示されているように、上側筐体において、操作パネルと、操作パネルの裏側に配置された回路基板との間には、スカート部を有するラバーキーが設けられ、さらに、そのスカート部の下方には、溝部が設けられている。この画像形成装置では、ラバーキーや溝部によって、操作パネルにこぼれた液体を回路基板から遠ざかるように案内する。
【先行技術文献】
【特許文献】
【０００６】
【特許文献１】特開２０１２−２０３９８９号公報
【発明の概要】
【発明が解決しようとする課題】
【０００７】
しかし、上記のような複合機では、上方からこぼれる液体が上記以外の経路でも伝わり得る。具体的には、上側筐体の上方から液体がこぼれると、その液体は、上側筐体の上面側から上側筐体の第１サイドカバーを伝わって垂れる。下側筐体の第２サイドカバーにおける上側筐体側の１辺を第１上端縁とすると、その液体は、第１上端縁の周辺にある隙間から下側筐体内に侵入し得る。そして、下側筐体内に浸入した液体が画像形成ユニットを構成する部品に付着すれば、画像形成ユニットに動作不良等や破損等の不具合を生じるおそれがある。
【０００８】
本発明は、上記従来の実情に鑑みてなされたものであって、下側筐体内に浸入する液体によって画像形成ユニットに不具合が生じることを抑制できる複合機を提供することを目的とする。
【課題を解決するための手段】
【０００９】
発明者らは、複合機の上方からこぼれる液体が伝わる経路を鋭意検討し、特に、上側筐体の上面を覆う第１トップカバーの第１部材と第２部材とが第１サイドカバーよりも上側で接続する接続部を有すると、その接続部にある隙間に液体が溜まり易いことに注目した。また、発明者らは、その溜まった液体が第１サイドカバーを伝って垂れると、第２サイドカバーの第１上端縁の周辺にある隙間から下側筐体内に侵入し易いことに注目した。こうして、発明者らは、本発明をするに到った。
【００１０】
本発明の複合機は、下側筐体と、
前記下側筐体に対して上側に配置される上側筐体と、
前記下側筐体内に収容され、シートに画像を形成する画像形成ユニットと、
前記上側筐体内に収容され、原稿から画像を読み取る画像読取ユニットと、を備える複合機であって、
前記上側筐体は、前記画像読取ユニットの上面を覆う第１トップカバーと、
前記画像読取ユニットの第１側面を覆う第１サイドカバーと、を有し、
前記第１トップカバーは、第１部材と第２部材とを含んで構成され、
前記第１部材と前記第２部材とは、前記第１サイドカバーよりも上側で接続する接続部を有し、
前記下側筐体は、前記画像形成ユニットにおける前記第１側面と同じ側を向く第２側面を覆う第２サイドカバーと、
前記画像形成ユニットにおける前記第２側面とは反対側を向く第３側面を覆う第３サイドカバーと、
前記第２サイドカバーと前記第３サイドカバーとに挟まれる位置にあり、前記画像形成ユニットの上面を覆い、前記画像形成ユニットから排出されるシートを保持するシート保持部を有する第２トップカバーと、を有し、
前記第２サイドカバーにおける前記上側筐体側の１辺である第１上端縁と、前記第２トップカバーにおける前記第２サイドカバー側の１辺である第１側端縁とは対向位置で対向し、
前記第２サイドカバーにおける前記画像形成ユニットに面する内壁面には、樋部と第１案内壁と第２案内壁とが設けられ、
前記樋部には、前記対向位置に対して下側にあり、かつ下向きに凹みながら前記第１上端縁に並行して延びる凹部と、前記接続部の下側に位置して前記凹部の底面から下向きに貫設された開口部とが形成され、
前記第１案内壁は、前記開口部における前記第１上端縁が延びる方向の一端側に隣接する位置から下向きに延びながら、前記内壁面から前記画像形成ユニットに向かって突出し、
前記第２案内壁は、前記開口部における前記第１上端縁が延びる方向の他端側に隣接する位置から下向き、かつ前記第１案内壁と並行して延びながら、前記内壁面から前記画像形成ユニットに向かって突出していることを特徴とする。
【００１１】
本発明の複合機では、第２サイドカバーの第１上端縁と第２トップカバーの第１側端縁との間に隙間がある。第１部材と第２部材との接続部に溜まった液体が第１サイドカバーを伝って垂れると、第２サイドカバーの第１上端縁と第２トップカバーの第１側端縁との隙間から下側筐体内に侵入し易い。しかし、本発明の複合機では、第２サイドカバーの内壁面に樋部と第１案内壁と第２案内壁とが設けられている。このため、その浸入する液体は、樋部において、凹部に垂れて開口部を通過する。この際、凹部は、第１上端縁と第１側端縁とが対向する対向位置に対して下側にあるので、その液体が凹部に垂れ易い。また、開口部が接続部の下側に位置しているので、その液体は開口部を迅速に通過し、凹部から溢れ難い。そして、その液体は、第１案内壁と第２案内壁とを伝わって垂れ、下側筐体内の下側部分に好適に案内される。このため、その液体が画像形成ユニットを構成する部品に付着し難い。
【００１２】
したがって、本発明の複合機では、下側筐体内に浸入する液体によって画像形成ユニットに不具合が生じることを抑制できる。
【００１３】
樋部は、内壁面から第１上端縁と並行して延びながら、内壁面から画像形成ユニットに向かって突出する底壁と、対向位置よりも画像形成ユニットに接近する位置で底壁から立ち上がる側壁とを有していることが望ましい。凹部は、内壁面と底壁と側壁とに囲まれてなることが望ましい。そして、開口部は、底壁を上下方向に貫通していることが望ましい。このような具体的構成を備える樋部により、下側筐体内に浸入する液体を凹部から溢れさせることなく、開口部を迅速に通過させることができる。
【００１４】
第１案内壁及び第２案内壁は、第２サイドカバーの下端縁の近傍まで延びていることが望ましい。この構成によれば、第１、２案内壁によって、下側筐体内に浸入する液体を飛散させることなく、下側筐体の底部まで好適に案内できる。
【００１５】
下側筐体の底部には、下側筐体内と外部とを連通する連通穴が設けられていることが望ましい。そして、第１案内壁及び第２案内壁は、連通穴の近傍まで延びていることが望ましい。この構成によれば、第１、２案内壁によって、下側筐体内に浸入する液体を連通穴の近傍まで好適に案内でき、その案内された液体を連通穴を経由して外部に排出することができる。
【００１６】
第１案内壁及び第２案内壁は、第１上端縁が延びる方向に傾斜する傾斜部を含んでいることが望ましい。この構成によれば、第１、２案内壁を伝わって垂れる液体の速度が傾斜部によって遅くなるので、その液体が下側筐体の底部に当たって飛散することを抑制できる。
【００１７】
画像形成ユニットは、下側筐体内で内壁面に隣接する位置に配置される電気部品を有していることが望ましい。そして、第１案内壁及び第２案内壁は、電気部品から第１上端縁が延びる方向に離間していることが望ましい。この構成によれば、第１、２案内壁によって液体が電気部品から遠ざけられるので、電気部品に液体が付着して短絡等の不具合が生じることを抑制できる。
【００１８】
開口部の内周縁の一部は、内壁面に接していることが望ましい。この構成によれば、凹部に垂れた液体が内壁面を伝わりながら開口部を通過するので、液体が下側筐体内に飛散することを抑制できる。
【００１９】
樋部は、第１上端縁の一端側から他端側まで延びていることが望ましい。この構成によれば、第１部材と第２部材との接続部に対して第１上端縁が延びる方向にずれた位置で、第２サイドカバーの第１上端縁と第２トップカバーの第１側端縁との隙間から下側筐体内に侵入する液体についても、樋部及び第１、２案内壁によって、下側筐体内の下側部分に好適に案内できる。
【００２０】
接続部は、第１サイドカバー側から画像読取ユニットに向けて延びていることが望ましい。この構成によれば、長く延びる接続部に液体が一層溜まり易いけれども、樋部及び第１、２案内壁によって、その液体を下側筐体内の下側部分に好適に案内できる。
【００２１】
上側筐体は、下側筐体に対して上方に離間する開放位置に変位可能に下側筐体に支持され得る。この場合、上側筐体が開放位置に変位することによって露出する第２トップカバーに液体がこぼれて、その液体が第２サイドカバーの第１上端縁と第２トップカバーの第１側端縁との隙間から下側筐体内に浸入しても、樋部及び第１、２案内壁によって、その液体を下側筐体内の下側部分に好適に案内できる。
【００２２】
上側筐体は、下側筐体に対してヒンジを介して連結され、ヒンジの回動軸心周りに回動可能に下側筐体に支持され得る。また、上側筐体は、下側筐体に対して回動することにより、第１サイドカバーが第１上端縁に隣接する閉鎖位置と、第１サイドカバーが第１上端縁に対して上方に離間する開放位置とに変位可能であり得る。この場合において、上側筐体が閉鎖位置にあるときに、開口部が接続部の下側に位置していることが望ましい。複合機の上側筐体の上方から液体がこぼれる場合において、特に上側筐体が閉鎖位置にあると、接続部に集まる液体の量が多くなり易い。この点、上記構成によれば、上側筐体が閉鎖位置にあるときに、接続部の下側に位置する開口部によって、接続部から垂れて下側筐体内に浸入する液体を下側筐体内の下側部分に好適に案内できる。
【００２３】
第１部材は、上側筐体における第１上端縁が延びる方向の一端側に配置される操作パネルであることが望ましい。操作パネルは、一般的に、１機種の複合機に対してデザインや仕様が異なる複数品種が用意され、販売対象地域やグレード等に応じて交換可能となっている。このため、第１トップカバーに操作パネルと第２部材との接続部ができ、その接続部に液体が溜まり易い。この点、本発明の複合機では、樋部及び第１、２案内壁によって、その液体を下側筐体内の下側部分に好適に案内できる。
【図面の簡単な説明】
【００２４】
【図１】実施例の複合機の斜視図である。
【図２】図１から開閉カバーを取り除いた状態を示す複合機の斜視図である。
【図３】実施例の複合機の模式断面図である。
【図４】図３のＡ−Ａ断面を示す模式断面図である。
【図５】第２サイドカバーの内壁面側を示す模式側面図である。
【図６】上側筐体が開放位置にある状態を示す複合機の側面図である。
【図７】図５のＢ−Ｂ断面を示す部分断面図である。
【図８】図４のＺ部を示す部分断面図である。
【図９】図８のＣ−Ｃ断面を示す部分断面図である。
【図１０】第２サイドカバーの樋部及び第１、２案内壁を示す部分上面図である。
【図１１】複合機の上方からこぼれた液体が伝わる経路を説明する複合機の部分斜視図である。
【図１２】複合機の上方からこぼれた液体が伝わる経路を説明する複合機の部分斜視図である。
【図１３】変形例の複合機の斜視図である。
【発明を実施するための形態】
【００２５】
以下、本発明を具体化した実施例を図面を参照しつつ説明する。
【００２６】
（実施例）
図１に示すように、実施例の複合機１は、本発明の複合機の具体的態様の一例である。図１では、複合機１の操作パネル８５側を装置の前側と規定し、操作パネル８５に向かった場合に左手に来る側を左側と規定して、前後、左右及び上下の各方向を表示する。そして、図２以降に示す各方向は、全て図１に示す各方向に対応させて表示する。以下、図１等に基づいて、複合機１が備える各構成要素について説明する。
【００２７】
＜全体構成＞
図１〜図６に示すように、複合機１は、下側筐体７と上側筐体８と開閉カバー９とを備えている。上側筐体８は、下側筐体７に対して上側に配置されている。開閉カバー９は、上側筐体８に対して上側に配置されている。また、複合機１は、図３及び図４に示すように、画像形成ユニット３と画像読取ユニット５とを備えている。画像形成ユニット３は、下側筐体７内に収容されている。画像読取ユニット５は、上側筐体８内に収容されている。
【００２８】
＜上側筐体＞
図２〜図９に示すように、上側筐体８は、スキャナーベース８０、上側トップカバー８９及びプラテンガラス８Ｇを有している。上側トップカバー８９は、本発明の「第１トップカバー」の一例である。
【００２９】
図３、図４及び図７等に示すように、スキャナーベース８０は、上方が開放された略箱形状の樹脂成形体である。スキャナーベース８０の底壁は、前後方向及び左右方向に略平板状に延在するボトムカバー８４とされている。
【００３０】
図４、図７及び図８に示すように、スキャナーベース８０におけるボトムカバー８４の右端縁から略垂直に立ち上がる右壁は、上側右面カバー８１とされている。上側右面カバー８１は、本発明の「第１サイドカバー」の一例である。図２及び図４に示すように、上側右面カバー８１は、上側筐体８の右側の外装面を構成し、画像読取ユニット５の右側面５Ｒを覆っている。右側面５Ｒは、本発明の「画像読取ユニットの第１側面」の一例である。
【００３１】
図４に示すように、スキャナーベース８０におけるボトムカバー８４の左端縁から略垂直に立ち上がる左壁は、上側左面カバー８３とされている。図４及び図６に示すように、上側左面カバー８３は、上側筐体８の左側の外装面を構成し、画像読取ユニット５の左側面５Ｌを覆っている。
【００３２】
図３に示すように、スキャナーベース８０におけるボトムカバー８４の前端縁から略垂直に立ち上がる前壁は、上側前面カバー８２とされている。図２及び図４に示すように、上側前面カバー８２は、上側筐体８の前側の外装面を構成している。
【００３３】
図２〜図６、図８及び図９に示すように、上側トップカバー８９は、操作パネル８５と枠体８７とを含んで構成されている。操作パネル８５は、本発明の「第１部材」の一例である。枠体８７は、本発明の「第２部材」の一例である。
【００３４】
図２及び図３に示すように、操作パネル８５は、左右方向に長い略矩形板状の樹脂成形体である。操作パネル８５は、スキャナーベース８０の前側部分に上側から組み付けられて、画像読取ユニット５の上面のうちの前側部分を上側から覆っている。操作パネル８５の前端縁８５Ａは、上側前面カバー８２の上端縁８２Ｕに上側から隣接している。図３及び図９に示すように、操作パネル８５は、前端縁８５Ａから後向きに緩やかに上り傾斜した後に屈曲し、後端縁８５Ｂまで略水平に延びている。
【００３５】
図２及び図３に示すように、操作パネル８５の傾斜部分の略中央部には、タッチパネル８５Ｐが組み付けられている。タッチパネル８５Ｐは、複合機１の稼働状態や設定等を表示したり、ユーザからの入力を受け付けるユーザインターフェースである。
【００３６】
図２、図４及び図８に示すように、操作パネル８５の右端縁８５Ｒは、下向きに屈曲し、上側右面カバー８１の上端縁８１Ｕに上側から隣接している。図４及び図８に示すように、上側右面カバー８１の上端縁８１Ｕは、段状に細くなっており、操作パネル８５の右端縁８５Ｒに対して、画像読取ユニット５側から食い込んでいる。
【００３７】
図４及び図６に示すように、操作パネル８５の左端縁８５Ｌは、下向きに屈曲し、上側左面カバー８３の上端縁８３Ｕに上側から隣接している。図４に示すように、上側左面カバー８３の上端縁８３Ｕは、段状に細くなっており、操作パネル８５の左端縁８５Ｌに対して、画像読取ユニット５側から食い込んでいる。
【００３８】
図２に示すように、枠体８７は、矩形状の開口が形成された枠状の樹脂成形体である。枠体８７は、略水平に延在するプラテンガラス８Ｇの外周縁を上側から囲っている。枠体８７は、スキャナーベース８０の後側部分に上側から組み付けられている。枠体８７は、プラテンガラス８Ｇとともに画像読取ユニット５の上面のうちの後側部分を上側から覆っている。図示は省略するが、プラテンガラス８Ｇは、スキャナーベース８０に凸設されたリブと枠体８７とによって挟持されている。
【００３９】
図２、図３及び図９に示すように、操作パネル８５と枠体８７とは、接続部Ｃ１を有している。接続部Ｃ１は、互いに並行して左右方向に延びる操作パネル８５の後端縁８５Ｂと枠体８７の前端縁８７Ａとが前後方向で隣接する箇所である。
【００４０】
図１１及び図１２に拡大して示すように、接続部Ｃ１は、上側右面カバー８１よりも上側で接続している。接続部Ｃ１の右端部は、上側右面カバー８１の上端縁８１Ｕに上側から隣接している。そして、接続部Ｃ１は、上側右面カバー８１側から画像読取ユニット５に向けて、すなわち、左側に延び、上側左面カバー８３よりも上側まで達している。図２及び図６に示すように、接続部Ｃ１の左端部は、上側左面カバー８３の上端縁８３Ｕに上側から隣接している。
【００４１】
図３及び図９に示すように、操作パネル８５の後端縁８５Ｂは、下向きに屈曲している。枠体８７の前端縁８７Ａは、下向きに屈曲した後、操作パネル８５の後端縁８５Ｂを下側から受けるように上向きに折り返されている。
【００４２】
図２に示すように、枠体８７の右端縁８７Ｒは、下向きに屈曲し、上側右面カバー８１の上端縁８１Ｕに上側から隣接している。図示は省略するが、上側右面カバー８１の段状に細くなる上端縁８１Ｕは、枠体８７の右端縁８７Ｒに対しても、画像読取ユニット５側から食い込んでいる。
【００４３】
図６に示すように、枠体８７の左端縁８７Ｌは、下向きに屈曲し、上側左面カバー８３の上端縁８３Ｕに上側から隣接している。図示は省略するが、上側左面カバー８３の段状に細くなる上端縁８３Ｕは、枠体８７の左端縁８７Ｌに対しても、画像読取ユニット５側から食い込んでいる。
【００４４】
＜下側筐体＞
図４に示すように、下側筐体７は、内部フレーム７Ｆを有している。内部フレーム７Ｆは、画像形成ユニット３を支持している。
【００４５】
図１〜図６に示すように、下側筐体７は、下側右面カバー７１、下側左面カバー７３、下側トップカバー７９及び下側前面カバー７２を有している。下側右面カバー７１は、本発明の「第２サイドカバー」の一例である。下側左面カバー７３は、本発明の「第３サイドカバー」の一例である。下側トップカバー７９は、本発明の「第２トップカバー」の一例である。
【００４６】
図２、図４及び図７に示すように、下側右面カバー７１は、上側右面カバー８１よりも下側に位置して、前後方向及び上下方向に略平板状に延在する樹脂成形体である。下側右面カバー７１は、下側筐体７の右側の外装面を構成し、画像形成ユニット３の右側面３Ｒを覆っている。下側筐体７の右側の外装面は、上側筐体８の右側の外装面と略面一とされている。右側面３Ｒは、本発明の「画像形成ユニットにおける第１側面と同じ側を向く第２側面」の一例である。下側右面カバー７１の上端縁、すなわち、下側右面カバー７１における上側筐体８側の１辺を第１上端縁７１Ｕとする。下側右面カバー７１の第１上端縁７１Ｕは、上側右面カバー８１の下端縁８１Ｄに下側から対向しつつ、前後方向に延びている。前後方向は、本発明の「第１上端縁が延びる方向」の一例である。
【００４７】
図２及び図４に示すように、下側右面カバー７１の下端縁７１Ｄは、下側筐体７の底部に位置している。図４に示すように、下側右面カバー７１の下端縁７１Ｄには、屈曲部７１Ｆが形成されている。屈曲部７１Ｆは、下端縁７１Ｄから左側に屈曲して下側筐体７の底部に潜り込み、内部フレーム７Ｆに対向する位置に達している。
【００４８】
図４及び図５に示すように、下側筐体７の底部には、下側筐体７内と外部とを連通する連通穴１４１、１４２が設けられている。連通穴１４１は、下側右面カバー７１の屈曲部７１Ｆにに貫設された換気用のスリットである。図４に示すように、連通穴１４２は、下側右面カバー７１の屈曲部７１Ｆと下側筐体７の内部フレーム７Ｆとの隙間である。
【００４９】
図４に示すように、下側左面カバー７３は、上側左面カバー８３よりも下側に位置して、前後方向及び上下方向に略平板状に延在する樹脂成形体である。下側左面カバー７３は、下側筐体７の左側の外装面を構成し、画像形成ユニット３の左側面３Ｌを覆っている。下側筐体７の左側の外装面は、上側筐体８の左側の外装面と略面一とされている。左側面３Ｌは、本発明の「画像形成ユニットにおける第２側面とは反対側を向く第３側面」の一例である。下側左面カバー７３の上端縁７３Ｕは、上側左面カバー８３の下端縁８３Ｄに下側から対向している。
【００５０】
図３及び図４に示すように、下側トップカバー７９は、ボトムカバー８４よりも下側で、前後方向及び左右方向に略段付き平板状に延在する樹脂成形体である。下側トップカバー７９は、下側右面カバー７１と下側左面カバー７３とに左右方向から挟まれる位置にある。
【００５１】
下側トップカバー７９は、画像形成ユニット３の上面を覆っている。下側トップカバー７９における左右方向の略中央部には、下向きに凹む段部が形成されている。その段部の底面は、シート保持部７８とされている。図３に示すように、シート保持部７８は、画像形成ユニット３から排出されるシートＳＨを保持する。図１〜図３に示すように、ボトムカバー８４とシート保持部７８とに囲まれた略矩形状の空間は、下側筐体７の前側に開いている。これにより、ユーザがシート保持部７８に保持されたシートＳＨを下側筐体７の前側から取り出すことができる。
【００５２】
図４及び図７に示すように、下側トップカバー７９の右端縁、すなわち、下側トップカバー７９における下側右面カバー７１側の１辺を第１側端縁７９Ｒとする。第１側端縁７９Ｒは、下側右面カバー７１の第１上端縁７１Ｕに左側から対向しつつ、第１上端縁７１Ｕと並行して前後方向に延びている。つまり、下側右面カバー７１の第１上端縁７１Ｕと、下側トップカバー７９の第１側端縁７９Ｒとは、図７に示す対向位置Ｆ１で対向している。第１側端縁７９Ｒは、下向きに屈曲している。
【００５３】
図４に示すように、下側トップカバー７９の左端縁７９Ｌは、下側左面カバー７３の上端縁７３Ｕに右側から対向しつつ、上端縁７３Ｕと並行して前後方向に延びている。
【００５４】
図１〜図３に示すように、下側前面カバー７２は、複数の分割パネルからなり、下側筐体７の前側の外装面を構成している。下側前面カバー７２は、ボトムカバー８４とシート保持部７８に囲まれてシートＳＨが排出される空間に対応する範囲が切り欠かれている。
【００５５】
＜開閉カバー＞
図１に示すように、開閉カバー９は、略平板状の樹脂成形体である。開閉カバー９の上面は、凹み等がない略平坦面とされている。図３に示すように、開閉カバー９は、上側筐体８の後面の上端縁部に対して図示しないヒンジを介して連結されている。開閉カバー９は、そのヒンジの回動軸心Ｘ９周りに回動可能に上側筐体８に支持されている。図１及び図３に示すように、開閉カバー９は、閉じた状態では、枠体８７及びプラテンガラス８Ｇを上側から覆っている。そして、開閉カバー９は、その前端側が持ち上げられて回動軸心Ｘ９周りに揺動し、図３に二点鎖線で示す傾斜状態となることにより、プラテンガラス８Ｇの上方を開放する。
【００５６】
＜下側筐体と上側筐体との連結構成＞
図６に示すように、下側筐体７の下側トップカバー７９には、左右一対のリンク収容部７７、７７が形成されている。両リンク収容部７７、７７は、下側トップカバー７９において、シート保持部７８より右側かつ上側でボトムカバー８４に対向する部位と、シート保持部７８より左側かつ上側でボトムカバー８４に対向する部位とから下向きに凹んでいる。
【００５７】
両リンク収容部７７、７７には、リンクロッド７７Ｒ、コイルバネ７７Ｓ及びガイドレール７７Ｇが収容されている。リンクロッド７７Ｒの下端部は、ガイドレール７７Ｇに係合している。リンクロッド７７Ｒの上端部は、上側筐体８に連結されている。コイルバネ７７Ｓは、リンクロッド７７Ｒの下端部を後向きに付勢している。
【００５８】
図３及び図６に示すように、上側筐体８の後面の下端縁部は、下側筐体７の後面の上端縁部に対して、ヒンジ８Ｊを介して連結されている。上側筐体８は、ヒンジ８Ｊの回動軸心Ｘ８周りに回動可能に下側筐体７に支持されている。
【００５９】
図１〜図５に示す上側筐体８の位置は、閉鎖位置である。上側筐体８が閉鎖位置にある状態では、図４に示すように、上側右面カバー８１の下端縁８１Ｄが下側右面カバー７１の第１上端縁７１Ｕに上側から隣接し、上側左面カバー８３の下端縁８３Ｄが下側左面カバー７３の上端縁７３Ｕに上側から隣接している。
【００６０】
そして、図６に示すように、上側筐体８は、下側筐体７に対して回動することにより、開放位置に変位し、下側筐体７の下側トップカバー７９に対して上方に離間する。上側筐体８が開放位置にある状態では、上側右面カバー８１の下端縁８１Ｄが下側右面カバー７１の第１上端縁７１Ｕに対して上方に離間し、上側左面カバー８３の下端縁８３Ｄが下側左面カバー７３の上端縁７３Ｕに対して上方に離間する。
【００６１】
上側筐体８が開放位置にある状態では、リンクロッド７７Ｒがコイルバネ７７Ｓ及びガイドレール７７Ｇによって起立した状態に維持されて、上側筐体８が重力により下降することを阻止する。
【００６２】
＜画像形成ユニット＞
図３及び図４に示すように、画像形成ユニット３は、供給カセット３Ｃ、画像形成部３Ａ及び図示しない搬送機構等を有している。供給カセット３Ｃは、画像が形成されるシートＳＨを収容する。供給カセット３Ｃは、下側筐体７内の底部に設けられている。画像形成部３Ａは、供給カセット３Ｃより上側、かつシート保持部７８より下側に位置している。画像形成ユニット３としては、レーザ方式、インクジェット方式等の周知のものが採用される。図示しない搬送機構は、供給カセット３Ｃ内のシートＳＨを一枚ずつ取り出して、図３に示すように、略Ｓ字状の搬送経路Ｐ１に沿って搬送し、排出口７Ｅからシート保持部７８上に排出する。図示しない搬送機構によって搬送されるシートＳＨは、搬送経路Ｐ１の略水平に延びる部分において、画像形成部３Ａを通過する。この間において、シートＳＨに対して画像が形成される。
【００６３】
図４〜図６に示すように、画像形成ユニット３は、画像形成部３Ａ及び図示しない搬送機構等を作動させるため、低電圧電源Ｅ１、電動モータ及び制御基板等の電気部品を有している。低電圧電源Ｅ１は、本発明の「電気部品」の一例である。低電圧電源Ｅ１は、画像形成部３Ａ及び図示しない搬送機構等に給電する。また、低電圧電源Ｅ１は、画像読取ユニット５やタッチパネル８５Ｐにも給電する。
【００６４】
図４に示すように、低電圧電源Ｅ１は、内部フレーム７Ｆに支持されて、画像形成ユニット３の右側面３Ｒに沿って、前後方向及び上下方向に延在している。換言すると、低電圧電源Ｅ１は、下側筐体７内で、下側右面カバー７１における画像形成ユニット３に面する内壁面７５に隣接する位置に配置されている。
【００６５】
＜画像読取ユニット＞
図３に示すように、画像読取ユニット５は、いわゆるフラットベット方式のものである。上側筐体８に設けられたプラテンガラス８Ｇの上面は、画像を読み取られる原稿を下側から支持する。
【００６６】
上側筐体８内におけるプラテンガラス８Ｇよりも下側には、読取センサ５Ｓが収容されている。読取センサ５Ｓとしては、密着型イメージセンサ（ＣＩＳ：Contact Image Sensor）やＣＣＤ（Charge Coupled Device）等の周知の画像読取センサが採用される。読取センサ５Ｓは、図示しないスライド機構により、プラテンガラス８Ｇの下面に沿いつつ、左右方向、すなわち、図３の紙面に対して垂直な方向に進退可能とされている。
【００６７】
上記構成である画像読取ユニット５では、開閉カバー９が図３に二点鎖線で示すようにプラテンガラス８Ｇの上方を開放する状態で、プラテンガラス８Ｇの上面に原稿が載置される。そして、原稿を支持するプラテンガラス８Ｇの下側で、読取センサ５Ｓが原稿の画像の一部を前後方向（主走査方向）に長いライン状に読み取りながら、左右方向（副走査方向）に移動する。こうして、画像読取ユニット５は、原稿の画像の全体を読み取る。
【００６８】
＜樋部、第１案内壁及び第２案内壁の具体的構成＞
図４、図５、図７及び図１０に示すように、下側右面カバー７１の内壁面７５には、樋部１００、第１案内壁１１０及び第２案内壁１２０が設けられている。樋部１００、第１案内壁１１０及び第２案内壁１２０は、樹脂製の下側右面カバー７１に一体成形されている。なお、下側左面カバー７３にも、樋部１００、第１案内壁１１０及び第２案内壁１２０と同様の樋部、第１案内壁及び第２案内壁が設けられ得るが、本実施例では割愛する。
【００６９】
樋部１００は、底壁１０１と側壁１０３とを有している。
【００７０】
底壁１０１は、下側右面カバー７１の内壁面７５から第１上端縁７１Ｕと並行して前後方向に延びるリブである。底壁１０１は、内壁面７５から画像形成ユニット３に向かって、すなわち左向きに、略水平に突出している。図５及び図１０に示すように、底壁１０１は、操作パネル８５と枠体８７との接続部Ｃ１の右端部に対して下側に位置する部位１０１Ｃが下向きに段状に凹んでいる。
【００７１】
図７に示すように、側壁１０３は、第１上端縁７１Ｕと第１側端縁７９Ｒとが対向する対向位置Ｆ１よりも画像形成ユニット３に接近する位置で、すなわち対向位置Ｆ１よりも左側の位置で、底壁１０１から略垂直に立ち上がるリブである。図５に示すように、側壁１０３も、底壁１０１と同様、第１上端縁７１Ｕと並行して前後方向に延びている。図１０に示すように、側壁１０３は、底壁１０１の部位１０１Ｃに隣接する部位１０３Ｃが左向きに段状に凹んでいる。
【００７２】
図５に示すように、下側右面カバー７１の内壁面７５の前端縁側には、取付部７５Ｍが形成されている。取付部７５Ｍは、下側右面カバー７１の第１上端縁７１Ｕから下端縁７１Ｄまで上下方向に延び、かつ左向きに突出している。下側右面カバー７１の内壁面７５の後端縁側には、取付部７５Ｎが形成されている。取付部７５Ｎは、下側右面カバー７１の第１上端縁７１Ｕから下端縁７１Ｄまで上下方向に延び、かつ左向きに突出している。取付部７５Ｍ、７５Ｎが締結部材等によって内部フレーム７Ｆに締結されることにより、下側右面カバー７１が内部フレーム７Ｆに取り付けられる。
【００７３】
底壁１０１の前端側と側壁１０３の前端側とは、取付部７５Ｍの上端側に接続している。底壁１０１の後端側と側壁１０３の後端側とは、取付部７５Ｎの上端側に接続している。つまり、樋部１００は、下側右面カバー７１の第１上端縁７１Ｕの前端側から後端側まで延びている。
【００７４】
図５、図７及び図１０に示すように、樋部１００には、凹部１０９と開口部１０７とが形成されている。
【００７５】
凹部１０９は、下側右面カバー７１の内壁面７５と、底壁１０１の上面と、側壁１０３の右面とに囲まれてなる。凹部１０９は、下向きに凹みながら第１上端縁７１Ｕに並行して延びている。図７に示すように、凹部１０９は、第１上端縁７１Ｕと第１側端縁７９Ｒとが対向する対向位置Ｆ１に対して下側にある。図５に示すように、凹部１０９は、下側右面カバー７１の第１上端縁７１Ｕの前端側から後端側まで延びている。凹部１０９は、底壁１０１の部位１０１Ｃと、側壁１０３の部位１０３Ｃとによって、接続部Ｃ１の右端部に対して下側に位置する部分の容積が大きくされている。
【００７６】
図５、図７及び図１０に示すように、開口部１０７は、底壁１０１を上下方向に貫通する略矩形状の穴である。図５に示すように、開口部１０７は、上側筐体８が閉鎖位置にあるときに、接続部Ｃ１の右端部に対して下側に位置している。開口部１０７は、凹部１０９の底面から下向きに貫設されている。図７及び図１０に示すように、開口部１０７の内周縁１０７Ｅのうちの右側部分は、下側右面カバー７１の内壁面７５に接している。
【００７７】
図５、図７及び図１０に示すように、第１案内壁１１０及び第２案内壁１２０はそれぞれ、下側右面カバー７１の内壁面７５から画像形成ユニット３に向かって、すなわち左向きに突出するリブである。
【００７８】
図５及び図７に示すように、第１案内壁１１０の上端側と第２案内壁１２０の上端側とは、底壁１０１の裏面に接続している。図１０に示すように、第１案内壁１１０の上端側は、開口部１０７の内周縁１０７Ｅのうちの前側部分に対して前側から隣接している。第２案内壁１２０の上端側は、開口部１０７の内周縁１０７Ｅのうちの後側部分に対して後側から隣接している。
【００７９】
図５に示すように、第１案内壁１１０は、直線部１１１と傾斜部１１２とを含んでいる。直線部１１１は、底壁１０１の裏面から下向きに略垂直に延びて、内壁面７５における上下方向の中間部に到る部分である。傾斜部１１２は、直線部１１１の下端に接続し、前側に傾斜しつつ下向きに延びる部分である。傾斜部１１２は、下向きに膨らむように湾曲している。傾斜部１１２の下端側は、前後方向において、取付部７５Ｍの下端側の近傍まで延び、上下方向において、下側右面カバー７１の下端縁７１Ｄの近傍まで延びている。
【００８０】
第２案内壁１２０は、直線部１２１と傾斜部１２２とを含んでいる。直線部１２１は、底壁１０１の裏面から下向きに略垂直に延びて、内壁面７５における上下方向の中間部に到る部分である。傾斜部１２２は、直線部１２１の下端に接続し、前側に傾斜しつつ下向きに延びる部分である。傾斜部１２２は、下向きに膨らむように湾曲している。傾斜部１２２の下端側は、前後方向において、取付部７５Ｍの下端側の近傍まで延び、上下方向において、下側右面カバー７１の下端縁７１Ｄの近傍まで延びている。
【００８１】
第２案内壁１２０の直線部１２１及び傾斜部１２２は、第１案内壁１１０の直線部１１１及び傾斜部１１２に対して前後方向で所定の間隔を有しつつ、直線部１１１及び傾斜部１１２と並行して延びている。第１案内壁１１０及び第２案内壁１２０は、傾斜部１１２、１２２によって、低電圧電源Ｅ１から前側に離間している。傾斜部１１２、１２２の下端側は、連通穴１４１、１４２の近傍まで延びている。
【００８２】
＜作用効果＞
実施例の複合機１では、図７に示すように、下側右面カバー７１の第１上端縁７１Ｕと下側トップカバー７９の第１側端縁７９Ｒとの間に、すなわち対向位置Ｆ１に隙間がある。
【００８３】
図１１に示すように、開閉カバー９が閉じた状態において、複合機１の上方から液体がこぼれ、例えば、開閉カバー９に垂れて複合機１の右側面に流れる場合、その液体は、上側筐体８における操作パネル８５の右端縁８５Ｒ、枠体８７の右端縁８７Ｒ及び上側右面カバー８１を伝わり、さらに、下側筐体７の下側右面カバー７１に向かって垂れる。
【００８４】
この際、その液体は、図１１に細い破線の矢印で示すように、開閉カバー９と操作パネル８５の右端縁８５Ｒとの隙間、開閉カバー９と枠体８７の右端縁８７Ｒとの隙間、操作パネル８５の右端縁８５Ｒと上側右面カバー８１の上端縁８１Ｕとの隙間、及び枠体８７の右端縁８７Ｒと上側右面カバー８１の上端縁８１Ｕとの隙間を伝わり、操作パネル８５と枠体８７との接続部Ｃ１の右端部に溜まり易い。
【００８５】
また、図１２に示すように、開閉カバー９が開いた状態において、複合機１の上方から液体がこぼれ、例えば、操作パネル８５及び枠体８７に垂れて複合機１の右側面に流れる場合、その液体は、図１２に細い破線の矢印で示すように、操作パネル８５の後端縁８５Ｂと枠体８７の前端縁８７Ａとが隣接する接続部Ｃ１を伝わり、接続部Ｃ１の右端部に溜まり易い。
【００８６】
そして、図１１及び図１２に太い破線の矢印で示すように、操作パネル８５と枠体８７との接続部Ｃ１の右端部に溜まった液体が上側右面カバー８１を伝って垂れると、図７に破線の矢印で示すように、上側右面カバー８１の下端縁８１Ｄと下側右面カバー７１の第１上端縁７１Ｕとの隙間を経由し、下側右面カバー７１の第１上端縁７１Ｕと下側トップカバー７９の第１側端縁７９Ｒとの隙間から下側筐体７内に侵入し易い。
【００８７】
しかし、実施例の複合機１では、図５、図７及び図１０に示すように、下側右面カバー７１の内壁面７５に、樋部１００と第１案内壁１１０と第２案内壁１２０とが設けられている。樋部１００は、上記構成である底壁１０１と側壁１０３とを有している。樋部１００には、凹部１０９と開口部１０７とが形成されている。凹部１０９は、下側右面カバー７１の内壁面７５と底壁１０１の上面と側壁１０３の右面とに囲まれてなる。開口部１０７は、底壁１０１を上下方向に貫通している。
【００８８】
このため、その浸入する液体は、樋部１００において、凹部１０９に垂れて開口部１０７を通過する。この際、凹部１０９は、第１上端縁７１Ｕと第１側端縁７９Ｒとが対向する対向位置Ｆ１に対して下側にあるので、その液体が凹部１０９に垂れ易い。また、開口部１０７が接続部Ｃ１の右端部に対して下側に位置しているので、その液体は開口部１０７を迅速に通過し、凹部１０９から溢れ難い。そして、その液体は、第１案内壁１１０と第２案内壁１２０とを伝わって垂れ、下側筐体７内の下側部分に好適に案内される。このため、その液体が画像形成ユニット３を構成する部品に付着し難い。
【００８９】
また、この複合機１では、図５に示すように、下側右面カバー７１の下端縁７１Ｄの近傍まで延びる第１案内壁１１０及び第２案内壁１２０により、下側筐体７内に浸入する液体を飛散させることなく、下側筐体７の底部まで好適に案内できる。
【００９０】
さらに、この複合機１では、図４及び図５に示すように、連通穴１４１、１４２の近傍まで延びる第１案内壁１１０及び第２案内壁１２０によって、下側筐体７内に浸入する液体を連通穴１４１、１４２の近傍まで好適に案内でき、その案内された液体を連通穴１４１、１４２を経由して外部に排出することができる。
【００９１】
また、この複合機１では、図５に示すように、第１案内壁１１０及び第２案内壁１２０を伝わって垂れる液体の速度が傾斜部１１２、１２２によって遅くなるので、その液体が下側筐体７の底部に当たって飛散することを抑制できる。
【００９２】
さらに、この複合機１では、図５に示すように、低電圧電源Ｅ１から第１上端縁７１Ｕが延びる方向に、すなわち前側に離間する第１案内壁１１０及び第２案内壁１２０によって、液体が低電圧電源Ｅ１から遠ざけられるので、低電圧電源Ｅ１に液体が付着して短絡等の不具合が生じることを抑制できる。
【００９３】
また、この複合機１では、図１０に示すように、開口部１０７の内周縁１０７Ｅのうちの右側部分は、下側右面カバー７１の内壁面７５に接している。これにより、凹部１０９に垂れた液体が下側右面カバー７１の内壁面７５を伝わりながら開口部１０７を通過するので、液体が下側筐体７内に飛散することを抑制できる。
【００９４】
さらに、この複合機１では、樋部１００は、第１上端縁７１Ｕの前端側から後端側まで延びている。これにより、操作パネル８５と枠体８７との接続部Ｃ１に対して第１上端縁が延びる方向、すなわち前後方向にずれた位置で、下側右面カバー７１の第１上端縁７１Ｕと下側トップカバー７９の第１側端縁７９Ｒとの隙間から下側筐体７内に侵入する液体についても、樋部１００、第１案内壁１１０及び第２案内壁１２０によって、下側筐体７内の下側部分に好適に案内できる。
【００９５】
また、この複合機１では、図２及び図１２に示すように、接続部Ｃ１は、上側右面カバー８１側から画像読取ユニット５に向けて、すなわち、左向きに延びている。このため、この複合機１では、長く延びる接続部Ｃ１に液体が一層溜まり易いけれども、樋部１００、第１案内壁１１０及び第２案内壁１２０によって、その液体を下側筐体７内の下側部分に好適に案内できる。
【００９６】
さらに、この複合機１では、上側筐体８は、図６に示すように、下側筐体７に対して上方に離間する開放位置に変位可能に下側筐体７に支持されている。このため、上側筐体８が開放位置に変位することによって露出する下側トップカバー７９に液体がこぼれて、その液体が下側右面カバー７１の第１上端縁７１Ｕと下側トップカバー７９の第１側端縁７９Ｒとの隙間から下側筐体７内に浸入する場合がある。この場合であっても、複合機１では、樋部１００、第１案内壁１１０及び第２案内壁１２０によって、その液体を下側筐体７内の下側部分に好適に案内できる。
【００９７】
また、この複合機１では、図５、図１１及び図１２に示すように、上側筐体８の上方から液体がこぼれる場合において、特に、上側筐体８が閉鎖位置にあると、接続部Ｃ１に集まる液体の量が多くなり易い。この点、この複合機１では、図５に示すように、上側筐体８が閉鎖位置にあるときに接続部Ｃ１の右端部に対して下側に位置する開口部１０７によって、接続部Ｃ１の右端部から垂れて下側筐体７内に浸入する液体を下側筐体７内の下側部分に好適に案内できる。
【００９８】
さらに、この複合機１では、第１部材が操作パネル８５である。操作パネル８５は、一般的に、１機種の複合機に対してデザインや仕様が異なる複数品種が用意され、販売対象地域やグレード等に応じて交換可能となっている。このため、図２、図９及び図１２に示すように、上側トップカバー８９に操作パネル８５と枠体８７との接続部Ｃ１ができ、その接続部Ｃ１に液体が溜まり易い。この点、この複合機１では、図５、図７及び図１０に示す樋部１００、第１案内壁１１０及び第２案内壁１２０によって、その液体を下側筐体７内の下側部分に好適に案内できる。
【００９９】
したがって、実施例の複合機１では、下側筐体７内に浸入する液体によって画像形成ユニット３に不具合が生じることを抑制できる。
【０１００】
また、この複合機１では、下側右面カバー７１を熱可塑性樹脂の射出成形等によって製造する際、樋部１００、第１案内壁１１０及び第２案内壁１２０を下側右面カバー７１の内壁面７５に容易に一体成形できる。この際、第１案内壁１１０及び第２案内壁１２０のためにスライドコアを設ける必要がないので、成形型を簡素化でき、ひいては、製造コストの低廉化を実現できる。
【０１０１】
以上において、本発明を実施例に即して説明したが、本発明は上記実施例に制限されるものではなく、その趣旨を逸脱しない範囲で適宜変更して適用できることはいうまでもない。
【０１０２】
例えば、実施例１の複合機１における開閉カバー９の代わりに、図１３に示すように、自動原稿搬送機構が搭載された開閉カバー２０９を採用することもできる。この場合、開閉カバー２０９は、複数の部材やカバーが組み付けられてなり、各所にそれらの部材同士の接続部が設けられる。そして、操作パネル８５と枠体８７との接続部Ｃ１よりも上側に、例えば、図１３に示す接続部Ｃ２が位置し得る。この場合、開閉カバー２０９の上方からこぼれた液体が接続部Ｃ２に溜まって垂れ易く、さらに、その垂れる液体が接続部Ｃ１に伝わって下方に垂れ易い。しかしながら、この変形例の複合機でも、図５、図７及び図１０に示す樋部１００、第１案内壁１１０及び第２案内壁１２０を備えることにより、下側筐体７内に浸入する液体によって画像形成ユニット３に不具合が生じることを抑制できる。
【０１０３】
実施例では、傾斜部１１２、１２２が第１、２案内壁１１０、１２０の一部であるがこの構成には限定されない。例えば、傾斜部は、第１、２案内壁の全部であってもよい。また、傾斜部は、直線的に延びていてもよいし、蛇行していてもよい。
【０１０４】
樋部の底壁及び側壁は、第２サイドカバーに一体成形されていなくてもよい。
【産業上の利用可能性】
【０１０５】
本発明は複合機等に利用可能である。
【符号の説明】
【０１０６】
１…複合機、７…下側筐体、８…上側筐体、ＳＨ…シート
３…画像形成ユニット、５…画像読取ユニット
８５…第１部材（操作パネル）、８７…第２部材（枠体）
８９…第１トップカバー（上側トップカバー）
８１…第１サイドカバー（上側右面カバー）
Ｃ１…第１部材と第２部材との接続部、７１…第２サイドカバー（下側右面カバー）
７３…第３サイドカバー（下側左面カバー）、７８…シート保持部
７１Ｕ…第２サイドカバーの第１上端縁、７９Ｒ…第２トップカバーの第１側端縁
７９…第２トップカバー（下側トップカバー）
５Ｒ…画像読取ユニットの第１側面（右側面）
３Ｒ…画像形成ユニットの第２側面（右側面）
３Ｌ…画像形成ユニットの第３側面（左側面）
Ｆ１…第１上端縁と第１側端縁とが対向する対向位置
７５…第２サイドカバーの内壁面、１００…樋部
１１０…第１案内壁、１２０…第２案内壁、１０９…凹部、１０７…開口部
１０１…底壁、１０３…側壁、７１Ｄ…第２サイドカバーの下端縁
１４１、１４２…連通穴、１１２、１２２…傾斜部
Ｅ１…電気部品（低電圧電源）、１０７Ｅ…開口部の内周縁
８Ｊ…ヒンジ、Ｘ８…ヒンジの回動軸心
【図１】
2016090641.tif 000003
【図２】
2016090641.tif 000004
【図３】
2016090641.tif 000005
【図４】
2016090641.tif 000006
【図５】
2016090641.tif 000007
【図６】
2016090641.tif 000008
【図７】
2016090641.tif 000009
【図８】
2016090641.tif 000010
【図９】
2016090641.tif 000011
【図１０】
2016090641.tif 000012
【図１１】
2016090641.tif 000013
【図１２】
2016090641.tif 000014
【図１３】
2016090641.tif 000015